(57)【要約】【課題】構成部品数が少なく、軽量で、容積を取らず、かつ安価であり、同時に加熱が均質であって急速加熱や冷却が可能な温度調節装置を提供すること。【解決手段】適応型温度調節装置（１０）は、抵抗測定装置、導電性材料（５０）、電力源出力制御装置（１２）を備えて構成される。作動中、温度調節装置（１０）が一またはそれ以上の所定の温度における導電性材料（５０）の抵抗値を決定し、動作温度の全範囲を通して導電性材料（５０）の抵抗値を決定する。電圧及び電力が既知である限り、該決定に基づいて導電性材料（５０）の抵抗値及びその温度が分かる。その結果、電圧または電流を即座に変更して材料温度の全範囲に亘って近無限制御を行うことが可能となる。【選択図】図２ａ
2012507069.tif 000002
【特許請求の範囲】
【請求項１】
システム部材（１０１）を加熱するための導電性材料（５０）に用いる適応型温度調節装置（１０）であって、該温度調節装置は、
電力、電流及び電圧のうちの２つを測定記録し、かつ該電力、電流及び電圧のうちの２つへオームの法則を適用して前記導電性材料（５０）の抵抗値を決定する抵抗測定装置と、
前記導電材料（５０）と電気的に結合されており、該電気的結合に基づいて前記導電性材料（５０）の温度を変更する電力源（１１）と、
前記抵抗測定装置が決定し出力する前記導電性材料（５０）の抵抗値に基づいて、前記電力源（１１）の出力を制御する電力源出力制御装置（１２）とから構成され、
前記電力源出力制御装置（１２）が、前記抵抗測定装置の出力及び温度入力に基づいて前記導電性材料（５０）の抵抗の熱係数を決定し、また、
前記電力源出力制御装置（１２）が、電力、電圧または電流のうちのいずれか一つの出力に基づいて前記導電性材料（５０）の温度を調節すること
を特徴とする適応型温度調節装置。
【請求項２】
前記部材（１０１）周囲へ空気流を誘導するファン（７０）がさらに含まれることを特徴とする請求項１に記載の適応型温度調節装置（１０）。
【請求項３】
前記適応型温度調節装置（１０）とコンピユータ（８０）との間で連絡が行われることを特徴とする請求項１に記載の適応型温度調節装置（１０）。
【請求項４】
前記適応型温度調節装置（１０）とコンピユータ（８０）との間で連絡が行われることを特徴とする請求項２に記載の適応型温度調節装置（１０）。
【請求項５】
前記適応型温度調節装置（１０）とコンピユータ（８０）との間で連絡が行われることを特徴とする請求項４に記載の適応型温度調節装置（１０）。
【請求項６】
システム部材（１０１）を加熱するための導電性材料（５０）に用いる適応型温度調節装置（１０）を操作するための方法であって、該温度調節装置が、
電力、電流及び電圧のうちの２つを測定記録し、かつ該電力、電流及び電圧のうちの２つへオームの法則を適用して前記導電性材料（５０）の抵抗値を決定する抵抗測定装置と、
前記導電材料（５０）と電気的に結合されており、該電気的結合に基づいて前記導電材料（５０）の温度を変更する電力源（１１）と、
前記抵抗測定装置が決定し出力する前記導電性材料（５０）の抵抗値に基づいて、前記電力源（１１）の出力を制御する電力源出力制御装置（１２）とを含み、
前記電力源出力制御装置（１２）が、前記抵抗測定装置の出力及び温度入力に基づいて前記導電性材料（５０）の抵抗の熱係数を決定し、また、
前記電力源出力制御装置（１２）が、電力、電圧または電流のうちのいずれか一つの出力に基づいて前記導電性材料（５０）の温度を調節するものであるとき、
前記導電性材料（５０）を構成する材質を確認するステップと、
前記適応型温度調節装置（１０）が前記導電性材料（５０）を構成する材質の正規化抵抗値を確認するステップと、
前記導電性材料（５０）の温度を所定の温度で安定化するステップと、
前記適応型温度調節装置（１０）が前記導電性材料（５０）の温度を受け取るステップと、
前記適応型温度調節装置（１０）が前記温度における前記導電性材料（５０）の抵抗値を受け取るステップと、
前記適応型温度調節装置（１０）が前記温度における前記抵抗値と正規化抵抗値を比較することによって前記正規化抵抗値に適用されるスケールファクタを決定するステップと、
前記適応型温度調節装置（１０）が前記導電性材料（５０）を特定の温度へと変更する指示を受け取るステップと、
前記適応型温度調節装置（１０）が受け取った前記温度指示に関連する電圧または電流を決定するステップと、
前記適応型温度調節装置（１０）が前記温度指示に関連する電圧及び電流のうちの一つを前記導電性材料（５０）に加えるステップとから構成されること
を特徴とする方法。
【請求項７】
システム部材（１０１）を加熱するための導電性材料（５０）に用いる適応型温度調節装置（１０）を操作するための方法であって、該温度調節装置が、
電力、電流及び電圧のうちの２つを測定記録し、かつ該電力、電流及び電圧のうちの２つへオームの法則を適用して前記導電性材料（５０）の抵抗値を決定する抵抗測定装置と、
前記導電材料（５０）と電気的に結合されており、該電気的結合に基づいて前記導電材料（５０）の温度を変更する電力源（１１）と、
前記抵抗測定装置が決定し出力する前記導電性材料（５０）の抵抗値に基づいて、前記電力源（１１）の出力を制御する電力源出力制御装置（１２）とを含み、
前記電力源出力制御装置（１２）が、電力、電圧または電流のうちのいずれか一つの出力に基づいて前記導電性材料（５０）の温度を調節するものであるとき、
前記導電性材料（５０）を加熱するステップと、
導電性材料（５０）を所定の温度に安定化するステップと、
前記適応型温度調節装置（１０）が前記温度を受け取るステップと、
前記適合型温度調節装置（１０）が前記温度における前記導電性材料（５０）の抵抗値を受け取るステップと、
受け取った温度における前記抵抗の値から前記導電性材料（５０）の抵抗特性曲線を導出するステップと、
前記適応型温度調節装置（１０）が前記導電性材料（５０）の温度を変更する指示を受け取るステップと、
前記適応型温度調節装置（１０）が前記指示に関連する抵抗を前記抵抗特性曲線から決定するステップと、
前記適応型温度調節装置（１０）が前記指示に関連する電圧または電流を前記導電性材料（５０）に加えるステップとから構成されること
を特徴とする方法。
【発明の詳細な説明】
【技術分野】
【０００１】
本発明は加熱ヒーターの温度調節と該温度のモニタリングを同時に行う装置に関する。本発明装置は、一定の温度範囲に亘って正確な加熱が要求されるいずれのシステムにおいても使用可能であるが、特に、クロマトグラフ分析において使用する、カラム、検出器、及びその他構成部品の加熱を含めての加熱ヒーターの温度調節に関する。
【背景技術】
【０００２】
導電性材料を用いて使用する適応型温度調節装置が開示されている。試験装置あるいは他の装置の一部分を周囲温度より高く保つことが必要な場合がしばしばある。かかる目的は、従来技術において種々の温度調節装置を用いて達成されてきた。調節の容易な加熱源を設置することも広く行われてきた。多くの場合、熱は伝導性素子から伝達される。従来技術において、かかる伝導性素子は分離した別の装置、多くの場合において抵抗温度検出器（ＲＴＤ）によってモニターされていた。しかしながら、この検出器には多数の部品が必要とされ、そのため装置によって占められる空間や、重量、さらにコストが増大する等の欠点があった。さらに、このような装置によっては、急速な温度変化を与えることができない場合があった。また、装置の加熱が均等に起こらず、加熱速度も不十分なこともしばしばであった。
【発明の概要】
【発明が解決しようとする課題】
【０００３】
それゆえ、構成部品数が少なく、軽量で、容積を取らず、かつ安価であり、同時に加熱が均質であって急速加熱や冷却が可能な温度調節装置が備えられるよう改善されることが望まれている。
【課題を解決するための手段】
【０００４】
本願において開示される適応型温度調節装置には、電気抵抗測定装置、導電性材料及び電源が備えられる。実際の動作では、温度調節装置は、一またはそれ以上の所定の温度における導電性材料の抵抗値を決定し、また一定温度範囲内の他の温度における導電性材料の対応抵抗値を決定し、それら抵抗値が得られるように必要な電圧及び電流を加えることが可能である。導電性材料の所定の（校正）温度は、温度センサを用いて決めるか、あるいは周囲空気温度から近似法を用いて決めても良い。
【発明の効果】
【０００５】
その結果として、電圧または電流を即座に変更して材料温度の全範囲に亘って近無限制御を行うことが可能である。
【図面の簡単な説明】
【０００６】
【図１ａ】従来技術に係る一実施形態を示した断面図である。
【図１ｂ】従来技術に係る他の実施形態を示した断面図である。
【図２ａ】適応型温度調節装置による加熱部材の直接加熱を示した図である。
【図２ｂ】適応型温度調節装置によって調節される直接加熱によって加熱される加熱部材を示した図である。
【図３ａ】適応型温度調節装置による加熱部材の間接加熱を示した図である。
【図３ｂ】適応型温度調節装置によって調節される間接加熱によって加熱される加熱部材を示した図である。
【図４】加熱が、マイクロコントローラ／マイクロプロセッサによって制御されるパルス幅変調スイッチング電源を介して適応型温度調節装置によって調節される加熱部材１０１を示した図である。
【図５】適応型温度調節装置によって加熱及び冷却が調節される加熱部材１０１を示した図である。
【図６】加熱が、コンピュータインタフェースを備える適応型温度調節装置によって調節される加熱部材１０１を示した図である。
【図７】導電性材料を備える適応型温度調節装置の一実施形態に係る校正工程をフローダイヤグラムで示した図である。
【図８】導電性材料を備える適応型温度調節装置の他の実施形態に係る校正工程をフローダイヤグラムで示した図である。
【図９】システムの一実施形態を示した図である。
【発明を実施するための形態】
【０００７】
本発明の上記及び他の目的、特徴及び利点は、以下における本発明の詳細な説明を添付図面を参照しながら検討することによって容易に理解されよう。
【０００８】
本明細書の一部を構成する図面において説明されている本発明の実施形態を参照することにより、本発明の上記特徴、利点及び目的、さらに以下において明らかにされる他の特徴、利点及び目的、より具体的には上記において簡潔に要約された本発明が達成され、また本発明についての詳細な理解が可能となろう。しかしながら、添付図面は本発明の典型的な好ましい実施形態を示しているに過ぎないこと、そして本発明範囲を限定するものではなく、他の同等に有効な実施形態としても構成可能なことに注意すべきである。
【０００９】
図１ａ及び図１ｂに示すように、温度調節装置は、導電性素子２５０及びセンサ２５１が装置３００の素子３０１に近接してあるいはその周囲に配置され、これら素子２５０及びセンサ２５１によって素子３０１が加熱され、及びその温度がモニターされるように構成される。調節容易な熱源を与えることは周知である。最も多い例としては、熱は導電性素子２５０から伝達され、その後素子３０１へと分散される。導電性素子２５０は素子３０１に隣接して（図１ａ）、あるいはそれを取り囲むように（図１ｂ）配置可能である。従来技術においては、導電性素子２５０の温度は分離型センサ２５１、多くの場合ＲＴＤを用いてモニターされていた。そのため、多数の部品が必要とされ、それら装備によって空間が占められ、さらに装備重量やコストも増大するなどの欠点があった。
【００１０】
導電性材料５０を用いて、クロマトグラフ分析の場合であれば、システム１００の部材１０１である例えば検出器あるいはカラムを直接あるいは間接に加熱することが可能である。クロマトグラフ分析の場合、部材１０１は、分析溶質インジェクター１０３及び検出器１０４を有するクロマトグラフシステム１００のクロマトグラフカラム１０２であってもよい。直接加熱の場合、図２ａに示すように、システム１００の部材１０１、すなわちカラムは、図２ｂに断面図で示すように、少なくとも部分的には導電性材料５０から成っている。間接加熱の場合は、図３ａに示すように、システム１００の部材１０１は、図３ｂに断面図で示すように導電性材料５０と接触状態にある。間接加熱の場合、接触された、あるいは取り囲まれた部材１０１は、検出器、カラム、あるいは他の装置であってもよい。図３ａにおいて、この場合も部材１０１はカラムである。導電性材料５０が前記素子を加熱する場合の到達温度、加熱速度、及びいずれかの温度における加熱期間は、適応型温度調節装置１０によって調節される。また別の実施形態において、適応型温度調節装置を、一定範囲に亘って正確な温度調節が望まれるシステムと結合させて使用することも可能である。
【００１１】
図２ａ及び図３ａに示すように、作動時、適応型温度調節装置１０と結合されて用いられる導電性材料５０には、温度の関数としての既知の電気抵抗がある。適応型温度調節装置１０は導電性材料５０と電気的に結合状態にある。導電性材料５０の抵抗・温度関係は、一定式の適用あるいはデータ表からの補間によって適応型温度調節装置１０から取得可能である。導電性材料５０の電気抵抗は温度関数であるので、導電性材料５０の温度は、導電性材料５０の電気抵抗の動的測定によって測定可能である。従って、導電性材料５０への電流（または電圧、あるいはその双方）の印加によって導電性材料５０の温度を調節することが可能である。好ましい実施形態において、前記導電性材料５０はニッケルである。
【００１２】
導電性材料５０がクロマトグラフ分離用のカラムの場合、導電性材料５０は、電気めっきプロセスを用いたニッケルコーティングが施された市販の溶融石英カラムによって構成されても良い。絶縁のためにニッケルコーティング上にポリアミンの薄膜層を付加しても良い。あるいは、導電性材料５０は、ニッケル線が溶融石英カラムに対して並列に設けられ、さらにその上を絶縁体として機能するガラス繊維の細線によって被覆されたカラムでも良い。どちらの実施形態においても、カラムはコイル状であり、束ねられ、且つ一例としてアルミホイルのようなもので覆われる。２組のワイヤを提供するために２つの導線が導電性材料５０の各終端に溶接されても良く、そうすることにより、正確な抵抗測定を行うための４線抵抗測定システム（４端子法）が提供される。
【００１３】
例えばニッケルワイヤーの長さあるいは直径が分からない場合のように、導電性材料５０の抵抗値が直ぐには分からないが、正規化抵抗特性が既知である場合には、導電性材料５０を用いる適応型温度調節装置１０を、１つまたはそれ以上の既知の温度における導電性材料５０の抵抗値を測定することにより校正することが可能である。導電性材料５０をオーブンで熱することにより、導電性材料５０の全体を一定の温度にすることができる。導電性材料５０の測定抵抗値を、導電性材料５０を構成する該材料の基準温度における正規化抵抗値で割算することによって得られるスケールファクタを正規化抵抗特性へ適用することにより、いかなる特定の温度においても導電性材料５０の抵抗を決定することが可能である。
【００１４】
従来技術と異なり、適応型温度調節装置１０を用いることにより、加熱においていかなる長さあるいはサイズの導電性材料５０を用いることも可能である。いかなる長さあるいはサイズの材料の使用も可能であることは、加熱材料の寸法が材料の変動や切断技術の相違によって異なってくるので、重要なことである。さらに、従来技術と異なって、温度が、印加される電圧及び電流を測定することによっていつでも決定できるため、分離型温度センサは不要である。
【００１５】
適応型温度調節装置１０には、望ましくは、電流、電圧、または電力に対する導電性材料５０の抵抗応答性、すなわち温度応答性を決めるための学習ステップが含まれる。この応答性の測定は、適応型温度調節装置１０において生ずる温度の上がり過ぎ及び／または下がり過ぎを減じあるいは無くするために重要である。既知の温度における導電性材料５０の抵抗測定が行われた後、適応型温度調節装置１０は、オーブン内の温度上昇に対する単位時間あたりのオーブン内の導電性材料５０の温度上昇に関係するデータ分析を含む既知の様々な方法を用いて、電圧、電流または電力の増加に対する温度上昇速度を決定することが可能である。大質量または大径の導電性材料５０は、電流、電圧または電力の増加に対して低い温度上昇速度を呈する。同様に、小質量または小径の導電性材料５０は、電流、電圧または電力の増加に対して高い温度上昇速度を呈する。いずれの場合においても、温度の変化は、導電性材料５０を構成する材料の既知の抵抗の熱係数と相関関係がある。動作範囲においては、温度の関数として抵抗の熱係数は既知であると仮定することが可能である。それゆえ、適応型温度調節装置１０は、導電性材料５０の電流、電圧または電力に対する応答性を予め測定することにより、望ましい温度からの温度の上がり過ぎあるいは下がり過ぎを防止する。別の実施形態では、適応型温度調節装置１０は、関連温度を決定するために、導電性材料５０として用いられる既知の材料の種々の温度におけるルックアップテーブルと、導電性材料５０のある温度における抵抗の適切な熱係数を有していても構わない。さらに別の実施形態においては、適応型温度調節装置１０によって作動期間中を通した供給電力の変化の関数として抵抗変化を記録し、それによって全体機能をマッピングすることも可能である。
【００１６】
適応型温度調節装置１０により１または２以上の導電性材料５０を調節し、あるいはそれを維持することが可能である。
【００１７】
さらに、適応型温度調節装置１０によって導電性材料５０を調節し、特定の装置に対し、あるいは対応期間に亘って、段階的あるいは傾斜状の温度上昇の変化を与えることが可能である。
【００１８】
さらに別の実施形態においては、適応型温度調節装置１０をニッケル等の導電性材料５０からなる部材１０１と結合させて使用することが可能である。導電性材料５０の抵抗の熱係数が一旦分かれば、部材１０１の温度を、同じようなボイル点の部材間との間で区別できる温度上昇となるように、段階的あるいは一定の比率で温度を上昇させることが可能である。
【００１９】
抵抗の測定及び電力、電流または電圧の印加によって導電性材料５０の温度を制御するように構成されている本願の適応型温度調節装置１０は、特にヒーターカートリッジが用いられている従来技術のものに優る多くの利点がある。加熱ヒーターと温度調節装置の間にはヒーターカートリッジは必要とされないので、適応型温度調節装置１０のサイズは従来型の温度調節装置よりも小さくなっている。さらに、熱流がヒーターカートリッジに関連した特定部位から放出されるのではなく大面積に亘って分散されるため、温度の局部的な上昇あるいは下降を防止することが可能である。さらに、カラム１０１の長さ方向に沿って一様に温度を分布させるために、カートリッジヒーターの設置位置に関連した点からだけでなくカラム１０１の長さ方向に沿った面全体から熱が伝達されるため、温度分布をより均質にすることが可能である。最後に、熱は外側ヒーターから熱伝導性材料を通して伝達されるのではなく導電性材料５０内において発生するため、温度上昇を急速に発生することも可能である。
【００２０】
図４に示す実施形態では、部材１０１は導電性材料５０から成り、熱生成電力は適応型温度調節装置１０によって供給される。これは、マイクロコントローラ/マイクロプロセッサによって制御されるパルス幅変調スイッチング電源１１を介して供給されても良い。ただし、その代わりとして、当該技術分野において公知な他の供給制御システムを用いることも可能である。導電性材料５０へ供給される電流は、電流供給源と導電性材料５０との間に配置される通常は抵抗値が０．１オームである電流感知レジスタ６０の電圧降下を検出することによって測定されても良い。同様に導電性材料５０両端の電圧も検出される。アナログデジタルコンバーターへ検出表示信号が送られる前に、検出された電圧を適切に増幅するための増幅器が設けられる。例えば毎秒１０００回で得られたデジタル化信号がマイクロコントローラへ送られ、そこでオームの法則を適用して、すなわち変換電圧値を変換電流値で割算することによって相対抵抗値が得られる。この相対抵抗値を、従来の比例積分微分（ＰＩＤ）またはモデル予測（ＭＰＣ）制御アルゴリズムを用いて、温度調節の基準抵抗値と比較することが可能である。導電性材料５０の温度を、当該技術分野において公知な温度・抵抗関係式を解き、あるいは表から数値を補間することによって、表示あるいは記録のために測定することも可能である。
【００２１】
温度傾斜を形成するため、電流感知回路からの検出信号を用いて、導電性材料５０内の一定電流を調節して温度変化の速度、直線性、指数関数性等を制御することが可能である。
【００２２】
図５に示したさらに別の実施形態では、適応型温度調節装置１０によって導電性材料５０及び部材１０１の周囲へ空気流を誘導することができるファン７０の温度が調節されるように構成可能である。またファン７０を用いて部材１０１及び導電性材料５０の冷却速度を速めることも可能である。
【００２３】
図６に示すさらに別の実施形態では、適応型温度調節装置１０にはコンピュータ端末８０が含められる。このコンピュータ端末８０によりキーボード８１及びモニター８２を介した制御インタフェースが提供される。このコンピュータ端末８０は、従来型デスクトップコンピュータあるいはＰａｌｍ（登録商標）などの携帯型コンピュータを含めたいずれのコンピュータであっても構わない。図７に示す各ステップで導電性材料５０の校正が行なわれる。
【００２４】
１）ステップ７０１において、例えばニッケル、プラチナ、銅などの導電性材料５０の材質が確認される。
【００２５】
２）ステップ７０２において、導電性材料５０の正規化抵抗値が適応型温度調節装置１０によって確認される。これにより、温度の関数として材料の純サンプルにおける正規化抵抗値が提供される。この正規化抵抗値は、適応型温度調節装置１０に適用可能な抵抗値を提供するために、参照温度における導電性材料５０の実際の抵抗にスケール化されていなければならない。
【００２６】
３）ステップ７０３において、導電性材料５０の温度が、導電性材料５０が用いられる温度に近い上昇温度であってもよい所定の温度になるように安定化される。
【００２７】
４）ステップ７０４において、導電性材料５０の温度が適応型温度調節装置１０によって受け取られる。
【００２８】
５）ステップ７０５において、適応型温度調節装置１０は受け取った温度における導電性材料５０の抵抗値を記録する。これは、少なくとも一度導電性材料５０に電圧又は電流を供給し、電圧又はそこを流れた電流を測定するかオームの法則を適用することにより達成されても良い。また、これは、適応型温度調節装置１０によって直接達成されても良いし、外部マルチメーターからの入力によって直接達成されても良い。
【００２９】
６）ステップ７０６において、選択された追加温度においてステップ７０３からステップ７０６までを繰り返す。
【００３０】
７）ステップ７０７において、導電性材料５０に関係した正規化抵抗値に適用されるスケールファクタは、共通する温度における正規化抵抗値と実際の抵抗値を比較することによって測定される。
【００３１】
８）ステップ７０８において、適応型温度調節装置１０は、導電性材料５０の温度を特定の温度へと変更するための指示を、オペレータまたはコンピュータ端末８０から受け取る。
【００３２】
９）ステップ７０９において、適応型温度調節装置１０は、スケール調節された正規化抵抗値に基づいて、オペレータまたはコンピュータ端末８０から受け取った温度指示に関連する抵抗値を決定する。
【００３３】
１０）ステップ７１０において、適応型温度調節装置１０は、温度指示に従った電圧または電流が導電性材料５０へ加えられるようにする。
【００３４】
あるいは、導電性材料５０の校正は、それぞれの導電性材料５０を校正することにより行なわれても良い。そのような校正は、導電性材料５０が不純物を含む材料、例えばコバルトによって汚染されたニッケルによって構成されている場合において、特に有益となる。そのような状況では、ニッケルの純サンプルにおける正規化抵抗値は、実際の材料における正規化抵抗値とは一致しない。その結果、その正規化抵抗値が用いられた場合、導電性材料５０の実際の温度は適応型温度調節装置１０によって算出された温度とは異なるであろう。従って、特定の抵抗特性曲線を形成することで、適応型温度調節装置１０にとってより正確なデータを提供することができる。図８に示すように、これらは以下のステップを含む。
【００３５】
１）ステップ８０１において、導電性材料５０はオーブン内において加熱される。
【００３６】
２）ステップ８０２において、導電性材料５０の温度は、導電性材料５０が用いられる温度に近いところまで上昇された温度である所定の温度で安定化される。
【００３７】
３）ステップ８０３において、導電性材料５０の温度が適応型温度調節装置１０によって受け取られる。
【００３８】
４）ステップ８０４において、適応型温度調節装置１０は受け取った温度における導電性材料５０の抵抗値を記録する。
【００３９】
５）ステップ８０５において、選択された追加温度においてステップ８０２からステップ８０４までを繰り返す。
【００４０】
６）ステップ８０６において、導電性材料５０の抵抗特性曲線は、受け取った温度における導電性材料５０の抵抗値に基づいて導出される。これは、導電性材料５０を構成していると仮定される材料におけるスケール化された正規化抵抗値の参照を含んでも良い。
【００４１】
７）ステップ８０７において、適応型温度調節装置１０は、導電性材料５０の温度を特定の温度へと変更するための指示を、オペレータまたはコンピュータ端末８０から受け取る。
【００４２】
８）ステップ８０８において、適応型温度調節装置１０は、導かれた抵抗特性曲線に基づいて、オペレータまたはコンピュータ端末８０から受け取った温度指示に関連した抵抗値を決定する。
【００４３】
９）ステップ８０９において、適応型温度調節装置１０は、温度指示に従った電圧または電流が導電性材料５０へ加えられるようにする。
【００４４】
図９は、大型クロマトグラフシステムの一部としての本発明に係る適応型温度調節装置１０を示す。図示のとおり、適応型温度調節装置１０は、温度設定入力を受けて、現在の温度（抵抗値から決定され、電流及び電圧の測定から特定され、校正データに基づいて温度が表示される）に基づいて制御アルゴリズムを実行し、導電性材料５０、ここでは必要に応じて加熱又は冷却される部材１０１、即ちカラムに対して十分な電流をＰＷＭ電力供給源に供給させる。
【００４５】
上記明細書において用いられている用語及び表現は説明のために用いた用語であり、これらの用語及び表現によって本発明を限定しようとする意図ではなく、また本願において示し、あるいは説明した特徴の均等物を排除することを意図したものではない。
【符号の説明】
【００４６】
１０    適応型温度調節装置
１１    電力源
１２    電力源出力制御装置
５０    導電性材料
７０    ファン
８０    コンピュータ
１０１    システム部材
【図１ａ】
2012507069.tif 000003
【図１ｂ】
2012507069.tif 000004
【図２ａ】
2012507069.tif 000005
【図２ｂ】
2012507069.tif 000006
【図３ａ】
2012507069.tif 000007
【図３ｂ】
2012507069.tif 000008
【図４】
2012507069.tif 000009
【図５】
2012507069.tif 000010
【図６】
2012507069.tif 000011
【図７】
2012507069.tif 000012
【図８】
2012507069.tif 000013
【図９】
2012507069.tif 000014
【国際調査報告】
2012507069.tif 000015